(57)【要約】【課題】指が冷えにくい構造を有するグローブを提供する。【解決手段】５本の指部を備えるグローブであって、親指を除く少なくとも１本の指部は、手の甲側生地と掌側生地とを備え、一方の生地が、他方の生地に対して前記指部の親指側の側面から親指側と反対側の側面の方へ延設されて該他方の生地に重なっており、しかも指先部分においては、前記親指側の側面から前記親指側と反対側の側面まで延設されて他方の生地に全域に渡って重なっている。【選択図】図１
2020020068.tif 000002
【特許請求の範囲】
【請求項１】
５本の指部を備えるグローブであって、
親指を除く少なくとも１本の指部は、手の甲側生地と掌側生地とを備え、一方の生地が、他方の生地に対して前記指部の親指側の側面から親指側と反対側の側面の方へ延設されて該他方の生地に重なっており、しかも指先部分においては、前記親指側の側面から前記親指側と反対側の側面まで延設されて他方の生地に全域に渡って重なっていることを特徴とするグローブ。
【請求項２】
前記掌側生地が、着用者の指の掌に重なる本体部と、該本体部から前記親指側の側面を介して前記親指側と反対側の側面の方へ延設されて前記手の甲側生地に重なる重合部とを備えていることを特徴とする請求項１に記載のグローブ。
【請求項３】
前記重合部は、指先側ほど前記手の甲側生地との重なり領域が大きくなっていることを特徴とする請求項２に記載のグローブ。
【発明の詳細な説明】
【技術分野】
【０００１】
本発明は、例えば自転車やオートバイの走行時に装着されるグローブに関する。
【背景技術】
【０００２】
かかるグローブとしては、手の甲側の４つの指材が一体になった手袋甲側材と、掌側の４つの指材が一体になった手袋掌側材と、人差し指と中指との間の側面及び中指と薬指との間の側面並びに薬指と小指との間の側面に配置されるハギ材と、人差し指の親指側側面及び小指の小指から離間する側の側面に配置されるマチ材とを備えている。そして、例えば人差し指を構成する場合には、手の甲側の人差し指材と掌側の人差し指材の他、それらの側面に配置されるハギ材とマチ材の４つの部材を隣り合う部材の端部同士を縫着することによって、人差し指を構成する。なお、他の３つの指も４つの部材を縫着して構成することになる（例えば、特許文献１参照）。
【先行技術文献】
【特許文献】
【０００３】
【特許文献１】実開昭６３−４６４１５号公報（図５〜図８参照）
【発明の概要】
【発明が解決しようとする課題】
【０００４】
上記特許文献１の構成によれば、４箇所の縫い目が指の先端から指の基端（付け根）まで指の側面に沿って形成されているため、特に寒い時期に例えば自転車で走行している時に、４箇所の縫い目のうち、走行方向の前方に向けて露出する縫い目から冷気が指部の内部にまで侵入し易く、指が冷えてしまうことがあり、早期改善が要望されている。
【０００５】
本発明は、前述の状況に鑑みてなされ、指が冷えにくい構造を有するグローブを提供することにある。
【課題を解決するための手段】
【０００６】
本発明のグローブは、５本の指部を備えるグローブであって、親指を除く少なくとも１本の指部は、手の甲側生地と掌側生地とを備え、一方の生地が、他方の生地に対して前記指部の親指側の側面から親指側と反対側の側面の方へ延設されて該他方の生地に重なっており、しかも指先部分においては、前記親指側の側面から前記親指側と反対側の側面まで延設されて他方の生地に全域に渡って重なっていることを特徴としている。
【０００７】
本発明によれば、一方の生地が、他方の生地に対して前記指部の親指側の側面から親指側と反対側の側面の方へ延設されて該他方の生地に重なっているため、走行時に前方に向けて露出する縫い目を削減できる。その分、冷気が縫い目から指部の内部に侵入することを防止できる。また、指先部分においては、前記親指側の側面から前記親指側と反対側の側面まで延設されて他方の生地に全域に渡って重なっているので、重なっている部分における保温性を向上させることができる。
【０００８】
また、本発明のグローブは、前記掌側生地が、着用者の指の掌に重なる本体部と、該本体部から前記親指側の側面を介して前記親指側と反対側の側面の方へ延設されて前記手の甲側生地に重なる重合部とを備えていてもよい。
【０００９】
指の甲側が多重に重なっているので、走行時に冷気が当たり易い指の甲側の保温性を高めることができる。
【００１０】
また、本発明のグローブは、前記重合部が、指先側ほど前記手の甲側生地との重なり領域が大きくなっていてもよい。
【００１１】
上記のように、指先側ほど前記手の甲側生地との重なり領域が大きくなっていれば、指部の動きをスムーズに行うことができながらも、侵入し易い指先側の縫い目からの冷気の侵入を良好に防止できる。
【発明の効果】
【００１２】
本発明のように、一方の生地が、他方の生地に対して指部の親指側の側面から親指側と反対側の側面の方へ延設されて他方の生地に重なっており、しかも指先部分においては、親指側の側面から親指側と反対側の側面まで延設されて他方の生地に全域に渡って重なっていることによって、冷えにくい構造を有するグローブを提供することができる。
【図面の簡単な説明】
【００１３】
【図１】本発明のグローブの分解斜視図である。
【図２】同グローブを掌側から見た斜視図である。
【図３】同グローブを手の甲側から見た斜視図である。
【図４】図３におけるＩＶ−ＩＶ線断面図である。
【発明を実施するための形態】
【００１４】
以下、本発明の実施形態を図面に基づいて説明する。
【００１５】
図２及び図３に、本発明のグローブ１を示している。このグローブ１は、特に、冬場に自転車やオートバイあるいはモーターボートを運転する時、つまり冷気に曝される作業時に両手に装着して使用される。なお、図２及び図３では、左手用のグローブ１のみを示しているが、右手用のグローブも左右が反対になるだけで基本的な構成は左手用のグローブ１と同様であるため、右手用のグローブの図示及び説明は省略する。
【００１６】
具体的には、グローブ１は、図１に示すように、手の甲側生地２と、掌側生地３と、手の甲側生地２と掌側生地３とを指部側で連結する連結用生地４と、手の甲側生地２と掌側生地３との間のうちの親指部の付け根と人差し指部の付け根との間にマチを形成するためのマチ用生地５とを備え、それらを縫着することにより構成されている。
【００１７】
手の甲側生地２は、５本の指部６，７，８，９，１０と手の甲部１１と手首部１２とを有する一枚の柔軟性を有するシート状の甲側本体１３と、親指部６と人差し指部７とに外側から重ね合わせるための略Ｖ字状で一枚の柔軟性を有する材料（例えば、ポリエステル、ナイロン等）でなるシート状の二股部１４とを備えている。このように、手の甲側の指部６，７に二股部１４を重ね合わせることで、例えば自転車のグリップを握った状態で外側に露出する手の甲側の保温性を高めることができる。
【００１８】
手首部１２は、手の甲側及び掌側の幅方向両端部を形成できるように幅広に構成されている。甲側本体１３は、２枚の生地１３Ａ，１３Ｂ（図４の断面図に示し、図１には示していない、例えば外側の生地１３Ａの材料がポリエステル、ナイロンで、内側の生地１３Ｂの材料がポリエステル、ナイロン、ポリウレタンである）を重ね合わせて一体化した構成になっており、例えば自転車のグリップを握った状態で外側に露出する手の甲側の保温性において優れている。ここでは、甲側本体１３は、２枚の生地１３Ａ，１３Ｂからなっているが、１枚の生地からなっていてもよい。また、二股部１４は、１枚の生地からなっている。
【００１９】
掌側生地３は、親指部１５と掌部１６と手首部（手の甲側生地２の手首部１２に対して幅が狭い）１７とを有する一枚の柔軟性を有する材料（例えば、ポリエステル混の生地）でなるシート状の掌側本体１８と、掌側本体１８に連結され、柔軟性を有する材料（例えば、ポリエステル混の生地）でなるシート状の４本の指部とを備えている。４本の指部は、人差し指部１９と、中指部２０と、薬指部２１と、小指部２２とを備える。
【００２０】
掌側本体１８のうちの小指側付け根と手首との間に位置する部分には、略三角形状のシート状の補強用生地２３が重ねられてそれの外縁（周囲）が縫着される（図２参照）。
【００２１】
人差し指部１９は、着用者の指の掌に重なる人差し指用本体部１９Ａと、人差し指用本体部１９Ａの幅方向一端から幅方向に延設された人差し指用延出部１９Ｂとを備えている。人差し指用本体部１９Ａは、指先側に向かうほど幅狭に構成され、先端が円弧状に構成されている。人差し指用延出部１９Ｂは、折り曲げ線１９Ｓで折り返されて親指側の側面を介して親指側と反対側の側面の方へ延設されて手の甲側の人差し指部７の指先部分に全域に渡って重なる人差し指用重合部１９ｂと、人差し指用本体部１９Ａの下端から指先側ほど手の甲側の人差し指部７との重なり領域が大きくなっている略逆三角形状の人差し指用側部１９ｃとを備えている。前記のように、指の甲側が多重に重なっているので、走行時に冷気が当たり易い指の甲側の保温性を高めることができる。
【００２２】
中指部２０は、掌側に位置する中指用本体部２０Ａと、中指用本体部２０Ａの幅方向一端から幅方向に延設された中指用延出部２０Ｂとを備えている。中指用本体部２０Ａは、指先側に向かうほど幅狭に構成され、先端が円弧状に構成されている。また、中指用本体部２０Ａには、中指の長さ方向２箇所に幅方向に沿った楕円形に切除されて上下一対の横切欠部Ｋ１，Ｋ２が形成されるとともに、上側の切欠部Ｋ１の一端（図では左端）から下側の切欠部Ｋ２の同一端（図では左端）を介して下方の指の付け根側端まで縦向きに切除されて縦切欠部Ｋ３が形成されている。上下一対の横切欠部Ｋ１，Ｋ２のそれぞれは、図１に示す覆い部材２４で内側（裏側）から覆われて周囲を縫着することで塞がれる（図２参照）。このように一対の横切欠部Ｋ１，Ｋ２及び縦切欠部Ｋ３を形成することによって、中指を曲げやすくなる。
【００２３】
なお、縦切欠部Ｋ３は、第１連結用生地２５の上面に位置して周囲が縫着される。中指用延出部２０Ｂは、折り曲げ線２０Ｓで折り返されて親指側の側面を介して親指側と反対側の側面の方へ延設されて手の甲側の中指部８の指先部分に全域に渡って重なる中指用重合部２０ｂと、中指用本体部２０Ａの下端から指先側ほど手の甲側の中指部８との重なり領域が大きくなっている略逆三角形状の中指用側部２０ｃとを備えている。このように、指先側ほど手の甲側生地との重なり領域が大きくなっていれば、指部の動きをスムーズに行うことができながらも、侵入し易い指先側の縫い目からの冷気の侵入を良好に防止できる。また、指の甲側が多重に重なっているので、走行時に冷気が当たり易い指の甲側の保温性を高めることができる。
【００２４】
薬指部２１は、中指部２０と大きさが異なるだけで基本構成は同一である。つまり、薬指部２１は、中指部２０よりも小さな寸法に構成されている。薬指部２１は、掌側に位置する薬指用本体部２１Ａと、薬指用本体部２１Ａの幅方向一端から幅方向に延設された薬指用延出部２１Ｂとを備えている。薬指用本体部２１Ａは、指先側に向かうほど幅狭に構成され、先端が円弧状に構成されている。また、薬指用本体部２１Ａには、薬指の長さ方向２箇所に幅方向に沿った楕円形に切除されて上下一対の横切欠部Ｋ１，Ｋ２が形成されるとともに、上側の切欠部Ｋ１の一端（図では左端）から下側の切欠部Ｋ２の同一端（図では左端）を介して下方の指の付け根側端まで縦向きに切除されて縦切欠部Ｋ３が形成されている。上下一対の横切欠部Ｋ１，Ｋ２のそれぞれは、図１に示す覆い部材２４で覆われて周囲を縫着することで塞がれる（図２参照）。このように一対の横切欠部Ｋ１，Ｋ２及び縦切欠部Ｋ３を形成することによって、薬指を曲げやすくなる。
【００２５】
なお、縦切欠部Ｋ３は、第２連結用生地２６の上面に位置して周囲が縫着される。薬指用延出部２１Ｂは、折り曲げ線２１Ｓで折り返されて親指側の側面を介して親指側と反対側の側面の方へ延設されて手の甲側の薬指部９の指先部分に全域に渡って重なる薬指用重合部２１ｂと、薬指用本体部２１Ａの下端から指先側ほど手の甲側の薬指部９との重なり領域が大きくなっている略逆三角形状の薬指用側部２１ｃとを備えている。このように、指先側ほど手の甲側生地との重なり領域が大きくなっていれば、指部の動きをスムーズに行うことができながらも、侵入し易い指先側の縫い目からの冷気の侵入を良好に防止できる。また、指の甲側が多重に重なっているので、走行時に冷気が当たり易い指の甲側の保温性を高めることができる。
【００２６】
小指部２２は、甲側本体１３の小指部１０と重なる小指用本体部２２Ａと、小指用本体部２２Ａの幅方向一端から幅方向に延設された小指用延出部２２Ｂとを備えている。小指用延出部２２Ｂは、折り曲げ線２２Ｓで折り返されて親指側の側面を介して親指側と反対側の側面の方へ延設されて手の甲側の小指部１０の指先部分に全域に渡って重なる小指用重合部２２ｂと、小指用本体部２２Ａの下端から指先側ほど手の甲側の小指部１０との重なり領域が大きくなっている略逆三角形状の小指用側部２２ｃとを備えている。なお、小指用側部２２ｃは、後述する第３連結用生地２７の指先側上面に位置して周囲が縫着される。前記のように、指の甲側が多重に重なっているので、走行時に冷気が当たり易い指の甲側の保温性を高めることができる。
【００２７】
連結用生地４は、柔軟性を有する材料（例えば、ポリエステル混の生地又はポリウレタン混の生地あるいはポリエステル）でなるシート状の第１連結用生地２５〜第３連結用生地２７を備えており、それら生地について説明する。まず、第１連結用生地２５は、手の甲側の中指部８の幅方向一端部（図１では左端部）とこれと同一側の掌側の中指部２０の幅方向一端部とを連結する生地である。具体的には、第１連結用生地２５は、上端側ほど幅が狭くなっている略三日月状の第１本体部２５Ａと、第１本体部２５Ａの幅方向一端の折り曲げ線２５Ｓで折り曲げられて掌側の中指部２０の幅方向一端部に重ねられて縫着される第１縫着部２５Ｂとを備えている。縫着部２５Ｂには、上下方向複数箇所（図１では４箇所）に幅方向に沿って切断線２５ｂが形成されており、掌側の中指部２０の内面に沿いやすくなっている。
【００２８】
第２連結用生地２６は、第１連結用生地２５よりも少し小さく構成され、手の甲側の薬指部９の幅方向一端部（図１では左端部）とこれと同一側の掌側の薬指部２１の幅方向一端部とを連結する生地である。具体的には、第２連結用生地２６は、上端側ほど幅が狭くなっている略三日月状の第２本体部２６Ａと、第２本体部２６Ａの幅方向一端の折り曲げ線２６Ｓで折り曲げられて掌側の薬指部２１の幅方向一端部に重ねられて縫着される第２縫着部２６Ｂとを備えている。第２縫着部２６Ｂには、上下方向複数箇所（図１では４箇所）に幅方向に沿って切断線２６ｂが形成されており、掌側の中指部２０の内面に沿いやすくなっている。
【００２９】
第３連結用生地２７は、第２連結用生地２６よりも少し小さく構成され、手の甲側の小指部１０の幅方向一端部（図１では左端部）とこれと同一側の掌側の小指部２２の幅方向一端部とを連結する生地である。具体的には、第３連結用生地２７は、上端側ほど幅が狭くなっている略三日月状の第３本体部２７Ａと、第３本体部２７Ａの幅方向一端の折り曲げ線２７Ｓで折り曲げられて掌側の小指部２２の幅方向一端部に重ねられて縫着される第３縫着部２７Ｂとを備えている。
【００３０】
上記のように、グローブ１を構成する中指部は、手の甲側生地２を構成する中指部８と掌側生地３を構成する中指部２０の中指用本体部２０Ａとが重なるとともに、手の甲側において手の甲側生地２の中指部８の指先部分に外側から中指用延出部２０Ｂが折り曲げ線２０Ｓで折り返されて重なって、外縁が縫着されて構成されている。図２及び図３に縫着部分（縫い目）２０Ｈを点線で示している。この縫着部分２０Ｈは、中指用本体部２０Ａと中指用延出部２０Ｂとの境界線の頂部２０ａから中指用本体部２０Ａの外縁に沿って形成されている。
【００３１】
また、グローブ１を構成する薬指部は、手の甲側生地２を構成する薬指部９と掌側生地３を構成する薬指部２１の薬指用本体部２１Ａとが重なるとともに、手の甲側において手の甲側生地２の薬指部９の指先部分に外側から薬指用延出部２１Ｂが折り曲げ線２１Ｓで折り返されて重なって、外縁が縫着されて構成されている。図２及び図３に縫着部分（縫い目）２１Ｈを点線で示している。この縫着部分２１Ｈは、薬指用本体部２１Ａと薬指用延出部２１Ｂとの境界線の頂部２１ａから薬指用本体部２１Ａの外縁に沿って形成されている。
【００３２】
また、グローブ１を構成する小指部は、手の甲側生地２を構成する小指部１０と掌側生地３を構成する小指部２２の小指用本体部２２Ａとが重なるとともに、手の甲側において手の甲側生地２の薬指部９の指先部分に外側から薬指用延出部２１Ｂが折り曲げ線２２Ｓで折り返されて重なって、外縁が縫着されて構成されている。図２及び図３に縫着部分（縫い目）２２Ｈを点線で示している。この縫着部分２２Ｈは、小指用本体部２２Ａと小指用延出部２２Ｂとの境界線の頂部２２ａから小指用本体部２２Ａの外縁に沿って形成されている。
【００３３】
要するに、中指部では、一方の生地である中指部８が他方の生地である中指用本体部２０Ａに重なって外縁が縫着されているため、走行時に前方に向けて露出する縫い目を削減することができる。その分、冷気が縫着部分（縫い目）２０Ｈから中指部の内部に侵入することを防止できる。しかも、中指部の指先部分においては、手の甲側で全域において中指部８に中指用延出部２０Ｂが重なっているので、保温性を向上させることができる。
【００３４】
図４に中指部の指先の断面を示し、手の甲側生地２の中指部８の幅方向一端部に中指用延出部２０Ｂの幅方向端部が外側から重ねられて内側に折り曲げ、その折り曲げた部分に、掌側生地３の中指用本体部２０Ａの遊端部を内側に折り曲げた部分を重ねて縫着している。手の甲側生地２の中指部８の幅方向他端部とこれと同一側の第１連結用生地２５の一端部とを互いに内側に折り曲げて縫着している。第１連結用生地２５の他端部は、中指用本体部２０Ａの内側に重ね合わせた状態で縫着されている。
【００３５】
薬指部及び小指部も、前記中指部と同様であるため、説明は省略する。また、人差し指部は、指先部分においては、前記中指部と同様な構成に加えて、手の甲側において指部全体が重ねられて縫着されている。
【００３６】
本発明のグローブは、前記実施形態に限定されるものではない。例えば、上記実施形態では、例えば人差し指部１９において、人差し指用本体部１９Ａと人差し指用延出部１９Ｂとを１枚の生地から構成したが、別々の生地から構成してもよい。なお、中指部２０、薬指部２１、小指部２２も同様に構成してもよい。
【００３７】
また、前記実施形態では、手の甲側生地２の親指部６と人差し指部７とに重ね合わせる二股状の二股部１４を設けたが、二股部１４を省略してもよい。
【００３８】
また、前記実施形態では、手の甲側の指先部分を全域において生地を重ねた構成であったが、掌側の指先部分を全域において生地を２重に重ねる構成であってもよい。また、指先部分だけでなく、指先部分を含む他の部分も生地を２重に重ねる構成であってもよい。
【００３９】
また、前記実施形態では、第１〜第３連結用生地２５〜２７を設けたが、省略してもよい。
【００４０】
また、前記実施形態では、親指以外の４本の指部を指先部分を全域において生地を重ねた構成にしたが、１本又は２本あるいは３本さらには５本の指部を指先部分を全域において生地を２重に重ねた構成にしてもよい。
【００４１】
また、前記実施形態では、親指を除く４本の掌側の指部１９，２０，２１，２２を、着用者の指の掌に重なる本体部１９Ａ，２０Ａ，２１Ａ，２２Ａと、本体部１９Ａ，２０Ａ，２１Ａ，２２Ａから親指側の側面を介して親指側と反対側の側面の方へ延設されて手の甲側生地の指部７，８，９，１０に重なる重合部１９ｂ，２０ｂ，２１ｂ，２２ｂとを備えたが、掌側の指部の指先を下方が開放された袋状に構成し、袋状の掌側の指部を手の甲側生地の指部に上方から被せることによって、全周に渡って縫い目がない指先を構成することができる。つまり、指先が親指側の側面から親指側とは反対側の側面の方へ延設され、かつ、掌側の指部の先端を介して甲側の指の爪側へ延設されることで、手の甲側生地の指部の指先を全域に渡って覆うことができる。
【符号の説明】
【００４２】
１…グローブ、２…手の甲側生地、３…掌側生地、４…連結用生地、５…マチ用生地、６…親指部、７…人差し指部、８…中指部、９…薬指部、１０…小指部、１１…手の甲部、１２…手首部、１３…甲側本体、１３Ａ，１３Ｂ…生地、１４…二股部、１５…親指部、１６…掌部、１８…掌側本体、１９…人差し指部、１９Ａ…人差し指用本体部、１９Ｂ…人差し指用延出部、１９Ｓ…折り曲げ線、１９ｂ…人差し指用重合部、１９ｃ…人差し指用側部、２０…中指部、２０Ａ…中指用本体部、２０Ｂ…中指用延出部、２０Ｈ…縫着部分、２０Ｓ…折り曲げ線、２０ａ…頂部、２０ｂ…中指用重合部、２０ｃ…中指用側部、２１…薬指部、２１Ａ…薬指用本体部、２１Ｂ…薬指用延出部、２１Ｓ…折り曲げ線、２１ｂ…薬指用重合部、２１ｃ…薬指用側部、２２…小指部、２２Ａ…小指用本体部、２２Ｂ…小指用延出部、２２Ｓ…折り曲げ線、２２ｂ…小指用重合部、２２ｃ…小指用側部、２３…補強用生地、２４…覆い部材、２５…第１連結用生地、２５Ａ…第１本体部、２５Ｂ…第１縫着部、２５Ｓ…折り曲げ線、２５ｂ…切断線、２６…第１連結用生地、２６Ａ…第２本体部、２６Ｂ…第２縫着部、２６Ｓ…折り曲げ線、２６ｂ…切断線、２７…第３連結用生地、２７Ａ…第３本体部、２７Ｂ…第３縫着部、２７Ｓ…折り曲げ線、Ｋ１，Ｋ２…横切欠部、Ｋ３…縦切欠部
【図１】
2020020068.tif 000003
【図２】
2020020068.tif 000004
【図３】
2020020068.tif 000005
【図４】
2020020068.tif 000006